(57)【要約】【課題】光ディスク装置において、データアクセスが無いときに光記録媒体が静止していると、情報機器からの熱伝導等により光記録媒体に局所的な高温部分が発生することがある。これに伴って、光記録媒体の変形やデータの読み書き時のエラーが発生することがある。【解決手段】光記録媒体へのデータアクセスの有無を判別し、データアクセスが無い時には第１の所定の時間の光記録媒体の静止と第２の所定の時間の光記録媒体の回転を繰り返すことにより、光記録媒体の局所的な高温部分の発生を防ぐ。【選択図】図３
2005141792.tif 000002
【特許請求の範囲】
【請求項１】
光記録媒体へのデータアクセスの有無を判別し、データアクセスが無い時には第１の所定の時間の光記録媒体の静止と第２の所定の時間の光記録媒体の回転を繰り返すことを特徴とする光ディスク装置。
【請求項２】
光記録媒体へのデータアクセスの有無を判別し、データアクセスが無い時には所定の速度で光記録媒体を回転させることを特徴とする光ディスク装置。
【請求項３】
光記録媒体へのデータアクセスの有無を判別し、データアクセスが無い時には所定の時間の光記録媒体の静止と所定の角度の光記録媒体の回転を繰り返すことを特徴とする光ディスク装置。
【請求項４】
前記第２の所定の時間の光記録媒体の回転を停止する時は、直前の回転開始前の光記録媒体の静止位置から所定の角度移動した位置で静止することを特徴とする請求項１記載の光ディスク装置。
【請求項５】
光記録媒体へのデータアクセスの有無を判別し、データアクセスが無い時には第１の所定の時間の光記録媒体の静止と第２の所定の時間の光記録媒体の回転を繰り返すことを特徴とする光ディスク装置の制御方法。
【請求項６】
光記録媒体へのデータアクセスの有無を判別し、データアクセスが無い時には所定の速度で光記録媒体を回転させることを特徴とする光ディスク装置の制御方法。
【請求項７】
光記録媒体へのデータアクセスの有無を判別し、データアクセスが無い時には所定の時間の光記録媒体の静止と所定の角度の光記録媒体の回転を繰り返すことを特徴とする光ディスク装置の制御方法。
【請求項８】
前記第２の所定の時間の光記録媒体の回転を停止する時は、直前の回転開始前の光記録媒体の静止位置から所定の角度移動した位置で静止することを特徴とする請求項５記載の光ディスク装置の制御方法。
【発明の詳細な説明】
【技術分野】
【０００１】
本発明は、パソコン等の情報機器と共に用いられ、挿入される光記録媒体にデータを記録あるいは読み出しする光ディスク装置、および光ディスク装置の制御方法に関する。
【背景技術】
【０００２】
近年、パソコン等の情報機器で用いられる光ディスク装置は、高性能化に伴って周囲環境や装置自身に発熱する部品を用いられることが多くなってきた。例えば、図２にノート型コンピュータ等の光ディスク装置を内蔵した情報機器の構成の一例を示す。下キャビネット１の上に、発熱部品である各種ＩＣ５を搭載した回路基板２と、回路基板２にケーブル等で電気接続されたハードディスク７と、回路基板２にケーブル等で電気接続された光ディスク装置３が設置されている。光ディスク装置３には光記録媒体４が挿入されている。ここで、光記録媒体４は、データアクセスがあって読み書き時には回転しているが、読み書きを行っていない場合は静止しているので、例えば図示しているように発熱部品である各種ＩＣ５の熱が回路基板２を通じたり空気を伝わったりして、光記録媒体４の一部に局所的高温部分６ができることがある。このことにより、光記録媒体の変形やデータの読み書き時のエラーが発生する場合があった。
【０００３】
このような発熱する部品による熱上昇の対策については、様々な技術が提案されている（例えば、特許文献１参照）。この特許文献１に開示されている技術は、温度検出器の出力を増幅する増幅器の出力に応じて回転数が変化するファンを有し、これにより必要冷却風量を細かく制御している。しかし、この技術では温度検出器の周囲の温度しか検出できないために、情報機器が局所的に高温になった場合等は検出できない。また、ノートパソコンのような小型情報機器では、省電力やスペースの都合でファンの設置そのものを行うことができない場合も多い。
【特許文献１】特開平０２−１９９６９０号公報
【発明の開示】
【発明が解決しようとする課題】
【０００４】
このように、従来の光ディスク装置において、情報機器にファンが設置してあっても局所的に高温になった場合は検出できず、また、ファンを設置しなければ局所的な高温を防ぐことが出来ず、その結果として光記録媒体に局所的な高温部分が発生して光記録媒体の変形やデータの読み書き時のエラーが発生するという課題があった。
【０００５】
本発明は、このような課題を解決するものであり、光ディスク装置に設置される光記録媒体の変形やデータの読み書き時のエラーの発生を防ぐことを目的とする。
【課題を解決するための手段】
【０００６】
この課題を解決するために第１の発明は、光記録媒体へのデータアクセスの有無を判別し、データアクセスが無い時には第１の所定の時間の光記録媒体の静止と第２の所定の時間の光記録媒体の回転を繰り返すことを特徴とする光ディスク装置である。
【０００７】
第２の発明は、光記録媒体へのデータアクセスの有無を判別し、データアクセスが無い時には所定の速度で光記録媒体を回転させることを特徴とする光ディスク装置である。
【０００８】
第３の発明は、光記録媒体へのデータアクセスの有無を判別し、データアクセスが無い時には所定の時間の光記録媒体の静止と所定の角度の光記録媒体の回転を繰り返すことを特徴とする光ディスク装置である。
【０００９】
第４の発明は、第１の発明において、第２の所定の時間の光記録媒体の回転を停止する時は、直前の回転開始前の光記録媒体の静止位置から所定の角度移動した位置で静止することを特徴とする光ディスク装置である。
【００１０】
第５の発明は、光記録媒体へのデータアクセスの有無を判別し、データアクセスが無い時には第１の所定の時間の光記録媒体の静止と第２の所定の時間の光記録媒体の回転を繰り返すことを特徴とする光ディスク装置の制御方法である。
【００１１】
第６の発明は、光記録媒体へのデータアクセスの有無を判別し、データアクセスが無い時には所定の速度で光記録媒体を回転させることを特徴とする光ディスク装置の制御方法である。
【００１２】
第７の発明は、光記録媒体へのデータアクセスの有無を判別し、データアクセスが無い時には所定の時間の光記録媒体の静止と所定の角度の光記録媒体の回転を繰り返すことを特徴とする光ディスク装置の制御方法である。
【００１３】
第８の発明は、第５の発明において、第２の所定の時間の光記録媒体の回転を停止する時は、直前の回転開始前の光記録媒体の静止位置から所定の角度移動した位置で静止することを特徴とする光ディスク装置の制御方法である。
【発明の効果】
【００１４】
以上の手段により、本発明でデータアクセスが無い場合でも光記録媒体を回転させることによって光記録媒体に局所的な高温が発生することを防ぎ、光記録媒体の変形やデータの読み書き時のエラーの発生を防ぐことが出来る。
【発明を実施するための最良の形態】
【００１５】
以下、本発明を実施するための最良の形態について詳細に説明する。
【００１６】
（実施の形態１）
図１に本発明の実施の形態における光ディスク装置を内蔵した情報機器の構成を示す。図において、１は情報機器の下キャビネット、２は下キャビネット１の上に設置された回路基板、３は回路基板２に電気接続された光ディスク装置、４は光ディスク装置３に設置された光記録媒体、５は回路基板２に配置された各種ＩＣ、７は回路基板２にケーブル等で電機接続されたハードディスク、８は光記録媒体４に発生する中温部分である。
【００１７】
本発明は、図１において光ディスク装置３が回路基板２等からのデータアクセスがされていないが光記録媒体４が挿入中の場合は、定期的に光記録媒体４を回転させるものである。これにより、従来の光ディスク装置で発生していた光記録媒体の局所的な高温が緩和されて中温部分８が発生するにとどまる。
【００１８】
図３は、この光ディスク装置の動作制御のフローチャートである。図に基づいて動作制御を説明する。ステップＳ１で光ディスク装置の電源がＯＮとなり、ステップＳ２で初期化を行なう。次にステップＳ３でディスクが挿入中であるかを、光ディスク装置の光記録媒体挿入センサーや読取レーザの反射光量等に基づいて判別する。ここで、ディスクが挿入されていなければステップＳ３に戻り、ディスクが挿入されていればステップＳ４に進む。ステップＳ４では回路基板２等からのデータアクセス要求があるか否かを調べ、要求があればステップＳ６でデータ処理をした後にステップＳ３に戻る。ステップＳ４でデータアクセス要求が無ければ、ステップＳ５で所定の時間ａだけ待機した後に、ステップＳ７で所定の時間ｂだけ光記録媒体を回転させ、その後ステップＳ３に戻る。
【００１９】
以上のようにすることで、光記録媒体の局所的な高温を緩和することが出来る。
【００２０】
なお、本実施の形態では、ステップＳ４でデータアクセス要求が無かった場合は、ステップＳ５とステップＳ７の処理を順次実行しているが、例えば、ステップＳ５とステップＳ７の処理中にデータアクセス要求があった場合は、直ちにステップＳ６に移っても良い。また、ステップＳ３とステップＳ４の処理も逆でも良い。また、ステップＳ５とステップＳ７の処理も逆でも良い。また、ステップＳ５とステップＳ７の処理を複数回繰り返してからステップＳ３に移っても良い。つまり、データ処理されていない時に光記録媒体を定期的に動作させれば良い。
【００２１】
なお、本実施の形態では、ステップＳ５で時間ａ待機することにより、データ処理が行なわれない場合は光記録媒体は回転と静止を繰り返すが、ステップＳ５の時間ａをゼロとしてステップＳ５の処理を省くことにより光記録媒体を連続的に回転させても局所的な高温部分の発生を防ぐことが出来る。
【００２２】
なお、ステップＳ７における光記録媒体の回転速度は、データアクセス時より低速の一定速度で回転させることが消費電力や制御の点で有力である。１倍速や、０．５倍速以下等の回転速度で良い。
【００２３】
（実施の形態２）
本発明も、情報機器の構成は実施の形態１と同じく図１で表される。
【００２４】
図４は、この光ディスク装置の動作制御のフローチャートである。実施の形態１の図３と異なる点は、ステップＳ７の代わりにステップＳ８となったことであり、この部分を中心に説明する。ステップＳ５で時間ａ待機した後、ステップＳ７で光記録媒体を一定の角度Ｃだけ回転させる。これにより、光記録媒体の局所的な高温部分の発生を避けることが出来る。
【００２５】
なお、一定角度の回転であるが、３６０度の整数倍の回転であれば局所的な高温が回転に要する時間だけ緩和されるだけであり、好ましくは３６０度の整数倍以外になるようにすることが望ましい。例えば、３０度、４５度、９０度等である。これにより、局所的な高温を効率的に回避することが出来る。
【００２６】
なお、角度は３６０度以内に限らず、３９０度とか７５０度とかでも良い。また、一定時間させてから停止位置を回転前と一定の角度Ｃだけ変更しても良い。これにより、更に効率的に局所的な高温を回避することが出来る。
【産業上の利用可能性】
【００２７】
本発明は、光記録媒体に局所的な高温部分が発生することを防ぐ光ディスク装置であり、ノート型パソコン等の情報機器に搭載される光ディスク装置、および光ディスク装置の制御方法などとして有用である。
【図面の簡単な説明】
【００２８】
【図１】本発明の実施の形態における光ディスク装置を内蔵した情報機器の構成を示す図
【図２】従来の光ディスク装置を内蔵した情報機器の構成を示す図
【図３】本発明の実施の形態１における光ディスク装置の動作制御のフローチャート
【図４】本発明の実施の形態２における光ディスク装置の動作制御のフローチャート
【符号の説明】
【００２９】
１  下キャビネット
２  回路基板
３  光ディスク装置
４  光記録媒体
５  各種ＩＣ
６  局所的高温部分
７  ハードディスク
８  中温部分
【図１】
2005141792.tif 000003
【図２】
2005141792.tif 000004
【図３】
2005141792.tif 000005
【図４】
2005141792.tif 000006